(57)【特許請求の範囲】
【請求項１】
メイン情報データ蓄積装置およびサブ情報データ蓄積装置の切り換えを自動的に行う情報データ蓄積装置のメイン／サブ自動切り換え装置であって、
上記メイン情報データ蓄積装置および上記サブ情報データ蓄積装置のエラーステータス情報に基づいて切り換え信号を出力する切り換え検出手段と、
上記切り換え信号に基づく切り換え動作を表示する切り換え動作表示手段と、
上記切り換え信号を一定時間遅延させる信号遅延手段と、
上記信号遅延手段で上記一定時間遅延された上記切り換え信号に基づいて上記メイン情報蓄積装置および上記サブ情報蓄積装置の切り換えを行う切り換え手段と、
上記切り換え信号に基づく上記切り換え手段の切り換え動作のキャンセルを受け付けるキャンセル受付手段と
を備えることを特徴とする情報データ蓄積装置のメイン／サブ自動切り換え装置。
【請求項２】
上記メイン情報データ蓄積装置および上記サブ情報データ蓄積装置より出力される伝送データに上記エラーステータス情報が挿入されていることを特徴とする請求項１に記載の情報データ蓄積装置のメイン／サブ自動切り換え装置。
【発明の詳細な説明】
【０００１】
【発明の属する技術分野】
この発明は、映像送出システム等に適用して好適な情報データ蓄積装置のメイン／サブ自動切り換え装置に関する。詳しくは、エラーステータス情報を使用して切り換え信号を生成し、切り換え信号に基づく切り換え動作を表示すると共に、一定時間遅延された切り換え信号に基づいてメイン情報蓄積装置およびサブ情報蓄積装置の切り換えを行うようにし、さらに切り換え信号に基づく切り換え動作のキャンセルを受け付けることによって、メイン情報蓄積装置およびサブ情報蓄積装置の切り換えが自動的に行われると共に、ユーザがその自動切り換えの動作をキャンセルできるようにした情報データ蓄積装置のメイン／サブ自動切り換え装置に係るものである。
【０００２】
【従来の技術】
図１０は、放送局等で使用される現状のメイン（主系）／サブ（副系）切換型映像送出システム３００を示している。この映像送出システム３００は、ユーザが送出時間や順番等を設定するための上位端末３０１と、この上位端末３０１によってスケジューリングされた結果がネットワーク３０２を介して供給される送出コントローラ３０３とを有している。
【０００３】
また、映像送出システム３００は、例えばＶＴＲ等の入力装置３０４と、例えば記録媒体としてハードディスク（図示せず）を備え、送出コントローラ３０３の制御によって、入力装置３０４からの映像データを蓄えておくと共に、決められた時間にその映像データを出力するメイン映像記録送出装置３０５およびサブ映像記録送出装置３０６とを有している。
【０００４】
送出装置３０５，３０６からは、不具合が発生しているか否かを示すエラーステータス信号ＥＲ１，ＥＲ２が出力される。これらエラーステータス信号ＥＲ１，ＥＲ２は、不具合が発生しているときはハイレベル“１”の信号となり、不具合が発生していないときはローレベル“０”の信号となる。送出装置３０５，３０６における不具合には、例えば記録媒体としてのハードディスクにメディアエラーが発生して正常に読み出しができない場合、ハードディスクよりデータの読み出しはできるがパリティエラーが発生している場合等がある。
【０００５】
また、映像送出システム３００は、送出装置３０５，３０６より出力されるエラーステータス信号ＥＲ１，ＥＲ２に基づき、送出装置３０５，３０６に不具合が発生している場合にはそれをユーザに知らせるアラームボックス３０７と、送出装置３０５，３０６より出力される映像データＳＶ１，ＳＶ２による画像を表示して確認するためのモニタ３０８，３０９とを有している。
【０００６】
図１１は、アラームボックス３０７の構成を示している。送出装置３０５，３０６より出力されるエラーステータス信号ＥＲ１，ＥＲ２は、それぞれアンプ３１１，３１２で増幅された後に発光ダイオード３１３，３１４に駆動信号として供給される。送出装置３０５，３０６に不具合がある場合、上述したようにエラーステータス信号ＥＲ１，ＥＲ２がハイレベル“１”の信号となることから、発光ダイオード３１３，３１４は発光した状態となる。
【０００７】
また、図１０に戻って、映像送出システム３００は、送出装置３０５，３０６の切り換えを行う切換スイッチ３１０、つまり送出装置３０５，３０６より出力される映像データＳＶ１，ＳＶ２を選択的に取り出してオンエア用の映像データＳＶoutとする切換スイッチ３１０を有している。この場合、切換スイッチ３１０のａ側，ｂ側の固定端子は、それぞれ送出装置３０５，３０６の出力側に接続される。この切換スイッチ３１０は、ユーザによって切り換えが行われる。
【０００８】
図１０に示す映像送出システム３００の動作を説明する。ユーザが上位端末３０１で設定した送出時間や順番などのスケジューリング結果がネットワーク３０２を通じて送出コントローラ３０３に供給される。そして、この送出コントローラ３０３の制御により、送出装置３０５，３０６は、入力装置３０４からの映像データを記録媒体としてのハードディスクに蓄えておくと共に、決められた時間にその映像データを出力する。
【０００９】
また、送出装置３０５，３０６より出力される映像データＳＶ１，ＳＶ２はそれぞれモニタ３０８，３０９に供給され、そのモニタ３０８，３０９の画面に送出装置３０５，３０６より出力される映像データＳＶ１，ＳＶ２による画像が表示される。また、送出装置３０５，３０６より出力されるエラーステータス信号ＥＲ１，ＥＲ２はアラームボックス３０７に供給され、送出装置３０５，３０６に不具合が生じたときは、その旨が発光ダイオード３１３，３１４（図１１参照）の発光によって表示される。
【００１０】
また、送出装置３０５，３０６より出力される映像データＳＶ１，ＳＶ２のいずれかが切換スイッチ３１０で選択的に取り出されてオンエア用の映像データＳＶoutとされる。この場合、切換スイッチ３１０はユーザによって切り換えられるものであり、ユーザは、モニタ３０８，３０９の画面に表示された画像やアラームボックス３０７における発光ダイオード３１３，３１４の発光状態を参照して、送出装置３０５，３０６のうち不具合のない方からの映像データを取り出すように切換スイッチ３１０を切り換えることとなる。
【００１１】
【発明が解決しようとする課題】
図１０に示す映像送出システム３００では、切換スイッチ３１０の切り換えをユーザがマニュアルで行うものである。したがって、切り換えが遅れることによって異常な映像データがオンエア用の映像データＳＶoutとなることを防止するために、ユーザは常に切換スイッチ３１０の近くにいなければならず、煩わしいものであった。このようなユーザの煩わしさをなくすため、切換スイッチ３１０の切り換えが自動的に行われるようにすることが考えられるが、ユーザの意に反した切り換えが行われる可能性もあり、それを回避することも必要となる。
【００１２】
そこで、この発明では、メイン情報蓄積装置およびサブ情報蓄積装置の切り換えが自動的に行われるようにすると共に、ユーザがその自動切り換えの動作をキャンセルできるようにした情報データ蓄積装置のメイン／サブ自動切り換え装置を提供することを目的とする。
【００１３】
【課題を解決するための手段】
この発明に係る情報データ蓄積装置のメイン／サブ自動切り換え装置は、メイン情報データ蓄積装置およびサブ情報データ蓄積装置の切り換えを自動的に行うものであって、メイン情報データ蓄積装置およびサブ情報データ蓄積装置のエラーステータス情報に基づいて切り換え信号を出力する切り換え検出手段と、この切り換え信号に基づく切り換え動作を表示する切り換え動作表示手段と、この切り換え信号を一定時間遅延させる信号遅延手段と、この一定時間遅延された切り換え信号に基づいてメイン情報蓄積装置およびサブ情報蓄積装置の切り換えを行う切り換え手段と、切り換え信号に基づく切り換え手段の切り換え動作のキャンセルを受け付けるキャンセル受付手段とを備えるものである。
【００１４】
この発明において、メイン情報データ蓄積装置およびサブ情報データ蓄積装置の切り換えが、これらメイン情報データ蓄積装置およびサブ情報データ蓄積装置のエラーステータス情報に基づいて出力される切り換え信号によって自動的に行われる。エラーステータス情報は、例えばメイン情報データ蓄積装置およびサブ情報データ蓄積装置より出力される伝送データに挿入されている。
【００１５】
また、切り換え信号に基づく切り換え動作が、例えば発光ダイオード等を用いて表示される。例えば、メイン情報データ蓄積装置が選択されている場合、切り換え信号はローレベル“０”の信号となり、発光ダイオードは発光しない状態におかれる。この状態から、メイン情報データ蓄積装置に不具合が発生し、サブ情報データ蓄積装置に切り換える場合、切り換え信号はハイレベル“１”の信号となり、発光ダイオードは発光した状態となる。
【００１６】
また、切り換え信号は一定時間だけ遅延され、この遅延された切り換え信号に基づいてメイン情報データ蓄積装置およびサブ情報データ蓄積装置の切り換えが行われる。また、この切り換え信号によるメイン情報データ蓄積装置およびサブ情報データ蓄積装置の切り換えのキャンセルが受け付けられる。これにより、ユーザが発光ダイオードの発光状態が変化した後一定時間以内にキャンセル操作を行うことにより、切り換え信号による切り換えをキャンセルすることが可能となる。
【００１７】
【発明の実施の形態】
以下、図面を参照しながら、この発明の実施の形態について説明する。図１は、実施の形態１としてのメイン（主系）／サブ（副系）切換型映像送出システム１００を示している。この映像送出システム１００は、ユーザが送出時間や順番等を設定するための上位端末１０１と、この上位端末１０１によってスケジューリングされた結果がネットワーク１０２を介して供給される送出コントローラ１０３とを有している。
【００１８】
また、映像送出システム１００は、例えばＶＴＲ等の入力装置１０４と、例えば記録媒体としてハードディスク（図示せず）を備え、送出コントローラ１０３の制御によって、入力装置１０４からの映像データを蓄えておくと共に、決められた時間にその映像データを出力するメイン映像記録送出装置１０５およびサブ映像記録送出装置１０６とを有している。
【００１９】
送出装置１０５，１０６からは、不具合が発生しているか否かを示すエラーステータス信号ＥＲ１，ＥＲ２が出力される。これらエラーステータス信号ＥＲ１，ＥＲ２は、不具合が発生しているときはハイレベル“１”の信号となり、不具合が発生していないときはローレベル“０”の信号となる。送出装置１０５，１０６における不具合には、例えば記録媒体としてのハードディスクにメディアエラーが発生して正常に読み出しができない場合、ハードディスクよりデータの読み出しはできるがパリティエラーが発生している場合等がある。
【００２０】
また、映像送出システム１００は、送出装置１０５，１０６より出力されるエラーステータス信号ＥＲ１，ＥＲ２に基づき、送出装置１０５，１０６に不具合が発生している場合にはそれをユーザに知らせると共に、送出装置１０５，１０６を切り換えるための切り換え信号ＳＷを出力するアラームボックスおよび切り換え制御回路１０７と、送出装置１０５，１０６より出力される映像データＳＶ１，ＳＶ２による画像を表示して確認するためのモニタ１０８，１０９とを有している。
【００２１】
図２は、アラームボックスおよび切換制御回路１０７の構成を示している。このアラームボックスおよび切換制御回路１０７は、送出装置１０５，１０６に不具合が発生しているか否かを表示するための発光ダイオード１１１，１１２を有している。送出装置１０５，１０６より出力されるエラーステータス信号ＥＲ１，ＥＲ２は、それぞれアンプ１１３，１１４で増幅された後に発光ダイオード１１１，１１２に駆動信号として供給される。送出装置１０５，１０６に不具合がある場合、上述したようにエラーステータス信号ＥＲ１，ＥＲ２がハイレベル“１”の信号となることから、発光ダイオード１１１，１１２は発光した状態となる。
【００２２】
また、アラームボックスおよび切換制御回路１０７は、エラーステータス信号ＥＲ１，ＥＲ２に基づいて切り換え信号ＳＷ０を出力する切り換え検出回路１１５を有している。この切り換え検出回路１１５は例えばＲＯＭテーブルで構成され、エラーステータス信号ＥＲ１，ＥＲ２の入力に対して、図３に示すテーブルのように切り換え信号ＳＷ０を出力するようになっている。
【００２３】
すなわち、ＥＲ１＝“０”，ＥＲ２＝“０”であるときは、送出装置１０５（装置１）および送出装置１０６（装置２）共にエラー無し（不具合なし）という入力情報であって、送出装置１０５（装置１）を選択するための切り換え信号ＳＷ０＝“０”が出力される。また、ＥＲ１＝“１”，ＥＲ２＝“０”であるときは、送出装置１０５（装置１）にエラー有り（不具合あり）という入力情報であって、送出装置１０６（装置２）を選択するための切り換え信号ＳＷ０＝“１”が出力される。また、ＥＲ１＝“０”，ＥＲ２＝“１”であるときは、送出装置１０６（装置２）にエラー有りという入力情報であって、送出装置１０５（装置１）を選択するための切り換え信号ＳＷ０＝“０”が出力される。さらに、
ＥＲ１＝“１”，ＥＲ２＝“１”であるときは、送出装置１０５（装置１）および送出装置１０６（装置２）共にエラー有りという入力情報であって、送出装置１０５（装置１）を選択するための切り換え信号ＳＷ０＝“０”が出力される。
【００２４】
また、アラームボックスおよび切換制御回路１０７は切り換え検出回路１１５より出力される切り換え信号ＳＷ０による切り換え動作を表示するための発光ダイオード１１６を有している。切り換え検出回路１１５より出力される切り換え信号ＳＷ０はアンプ１１７で増幅された後に発光ダイオード１１６に駆動信号として供給される。送出装置１０５（装置１）を選択するための切り換え信号ＳＷ０はローレベル“０”の信号であることから発光ダイオード１１６は発光しない状態となり、一方送出装置１０６（装置２）を選択するための切り換え信号ＳＷ０はハイレベル“１”の信号であることから発光ダイオード１１６は発光した状態となる。
【００２５】
また、アラームボックスおよび切換制御回路１０７は、切り換え検出回路１１５より出力される切り換え信号ＳＷ０を一定時間、例えば５〜１０秒だけ遅延させる遅延回路１１８と、この遅延回路１１８より出力される遅延された切り換え信号ＳＷ０′をそのまま切り換え信号ＳＷとして出力するか否かを決定するキャンセル受付回路１１９とを有している。この場合、キャンセル受付回路１１９がキャンセル状態にないときは遅延回路１１８からの切り換え信号ＳＷ０′がそのまま切り換え信号ＳＷとして出力されるが、ユーザがキャンセルスイッチ１２０を押してキャンセル受付回路１１９がキャンセル状態となったときは、キャンセル受付回路１１９よりその押した時点における状態の切り換え信号ＳＷが出力され続ける。なお、キャンセル状態でユーザがキャンセルスイッチ１２０を押すことで、そのキャンセル状態は解除される。
【００２６】
また、図１に戻って、映像送出システム１００は、送出装置１０５，１０６の切り換え、つまり送出装置１０５，１０６より出力される映像データＳＶ１，ＳＶ２を選択的に取り出してオンエア用の映像データＳＶoutとする切換スイッチ１１０を有している。この場合、切換スイッチ１１０のａ側，ｂ側の固定端子は、それぞれ送出装置１０５，１０６の出力側に接続される。切換スイッチ１１０は上述したアラームボックスおよび切換制御回路１０７より出力される切り換え信号ＳＷに従って切り換えが行われ、ＳＷ＝“０”であるときはａ側に接続され、一方ＳＷ＝“１”であるときはｂ側に接続される。
【００２７】
図１に示す映像送出システム１００の動作を説明する。ユーザが上位端末１０１で設定した送出時間や順番などのスケジューリング結果がネットワーク１０２を通じて送出コントローラ１０３に供給される。そして、この送出コントローラ１０３の制御により、送出装置１０５，１０６は、入力装置１０４からの映像データを記録媒体としてのハードディスクに蓄えておくと共に、決められた時間にその映像データを出力する。
【００２８】
また、送出装置１０５，１０６より出力される映像データＳＶ１，ＳＶ２はそれぞれモニタ１０８，１０９に供給され、そのモニタ１０８，１０９の画面に送出装置１０５，１０６より出力される映像データＳＶ１，ＳＶ２による画像が表示される。
【００２９】
また、送出装置１０５，１０６より出力されるエラーステータス信号ＥＲ１，ＥＲ２はアラームボックスおよび切換制御回路１０７に供給される。そして、送出装置１０５，１０６に不具合が生じたときは、その旨が発光ダイオード１１１，１１２（図２参照）の発光によって表示される。
【００３０】
さらに、アラームボックスおよび切換制御回路１０７の切り換え検出回路１１５からはエラーステータス信号ＥＲ１，ＥＲ２に基づいて切り換え信号ＳＷ０が出力される（図３のテーブル参照）。この場合、切り換え信号ＳＷ０がローレベル“０”の信号であって送出装置１０５（装置１）を選択するためのものであるときは発光ダイオード１１６は発光しない状態となり、一方切り換え信号ＳＷ０がハイレベル“１”の信号であって送出装置１０６（装置２）を選択するためのものであるときは発光ダイオード１１６は発光した状態となる。
【００３１】
これにより、ユーザは、発光ダイオード１１６が発光しない状態から発光した状態に変化することで、送出装置１０５（装置１）を選択している状態から送出装置１０６（装置２）を選択する状態に切り換えが行われることを知ることができる。また、ユーザは、発光ダイオード１１６が発光した状態から発光しない状態に変化することで、送出装置１０６（装置２）を選択している状態から送出装置１０５（装置１）を選択する状態に切り換えが行われることを知ることができる。
【００３２】
また、上述したように切り換え検出回路１１５より出力される切り換え信号ＳＷ０は遅延回路１１８に供給され、この遅延回路１１８より一定時間だけ遅延された切り換え信号ＳＷ０′が出力される。そして、キャンセル受付回路１１９がキャンセル状態にないときは、この切り換え信号ＳＷ０′がそのまま切り換え信号ＳＷとなり、この切り換え信号ＳＷによって切換スイッチ１１０の切り換えが制御される。
【００３３】
そのため、切り換え検出回路１１５より出力される切り換え信号ＳＷ０がローレベル“０”の信号からハイレベル“１”の状態に変化し、発光ダイオード１１６が発光しない状態から発光した状態に変化するとき、一定時間後にキャンセル受付回路１１９より出力される切り換え信号ＳＷがローレベル“０”の信号からハイレベル“１”の状態に変化し、切換スイッチ１１０はａ側に接続された状態からｂ側に接続される状態に切り換え制御され、送出装置１０５（装置１）を選択した状態から送出装置１０６（装置２）を選択する状態に切り換えられる。
【００３４】
同様に、切り換え検出回路１１５より出力される切り換え信号ＳＷ０がハイレベル“１”の信号からローレベル“０”の状態に変化し、発光ダイオード１１６が発光した状態から発光しない状態に変化するとき、一定時間後にキャンセル受付回路１１９より出力される切り換え信号ＳＷがハイレベル“１”の信号からローレベル“０”の状態に変化し、切換スイッチ１１０はｂ側に接続された状態からａ側に接続される状態に切り換え制御され、送出装置１０６（装置２）を選択した状態から送出装置１０５（装置１）を選択する状態に切り換えられる。
【００３５】
また、ユーザがキャンセルスイッチ１２０を押してキャンセル受付回路１１９がキャンセル状態となったときは、キャンセル受付回路１１９よりその押した時点における状態の切り換え信号ＳＷが出力され続け、この切り換え信号ＳＷによって切換スイッチ１１０の切り換えが制御される。
【００３６】
そのため、切り換え検出回路１１５より出力される切り換え信号ＳＷ０がローレベル“０”の信号からハイレベル“１”の状態に変化し、発光ダイオード１１６が発光しない状態から発光した状態に変化するとき、一定時間が経過する前に、ユーザがキャンセルスイッチ１２０を押してキャンセル受付回路１１９をキャンセル状態とすると、一定時間が経過してもキャンセル受付回路１１９より出力される切り換え信号ＳＷはローレベル“０”のままとなる。したがって、切換スイッチ１１０はａ側に接続された状態のままとされ、送出装置１０５（装置１）を選択した状態がそのまま保持される。
【００３７】
同様に、切り換え検出回路１１５より出力される切り換え信号ＳＷ０がハイレベル“１”の信号からローレベル“０”の状態に変化し、発光ダイオード１１６が発光した状態から発光しない状態に変化するとき、一定時間が経過する前に、ユーザがキャンセルスイッチ１２０を押してキャンセル受付回路１１９をキャンセル状態とすると、一定時間が経過してもキャンセル受付回路１１９より出力される切り換え信号ＳＷはハイレベル“１”のままとなる。したがって、切換スイッチ１１０はｂ側に接続された状態のままとされ、送出装置１０６（装置２）を選択した状態がそのまま保持される。
【００３８】
以上説明したように実施の形態１においては、送出装置１０５，１０６に不具合があるか否かを示すエラーステータス信号ＥＲ１，ＥＲ２に基づいて切り換え信号ＳＷ０が生成され、キャンセル受付回路１１９がキャンセル状態にないときは、その切り換え信号ＳＷ０に基づいて切換スイッチ１１０の切り換えが制御され、送出装置１０５，１０６の切り換えが自動的に行われる。したがって、ユーザは、切り換えが遅れることによって異常な映像データがオンエア用の映像データＳＶoutとなることを防止するために常に切換スイッチ１１０の近くにいる必要がなくなる。
【００３９】
また、切り換え信号ＳＷ０の状態に対応して発光ダイオード１１６の発光状態が変化する。つまり、発光ダイオード１１６によって切り換え信号ＳＷ０に基づく切り換え動作が表示される。また、キャンセル受付回路１１９がキャンセル状態にないときは、その切り換え信号ＳＷ０が一定時間遅延され、遅延された切り換え信号ＳＷ０に基づいて切換スイッチ１１０の切り換えが制御される。そして、ユーザがキャンセルスイッチ１２０を押してキャンセル受付回路１１９をキャンセル状態とするとき、切換スイッチ１１０の接続はその押した時点の状態に保持される。したがって、ユーザが発光ダイオード１１６の発光状態が変化した後一定時間以内にキャンセルスイッチ１２０を押すことで、切り換え信号ＳＷ０に基づく切換スイッチ１１０の切り換えをキャンセルでき、ユーザの意に反した切り換えが行われることを回避できる。
【００４０】
ところで、上述した実施の形態１においては、送出装置１０５，１０６より出力されるエラーステータス信号ＥＲ１，ＥＲ２に基づいて切り換え信号ＳＷ０を生成するものであったが、送出装置１０５，１０６より出力される映像データＳＶ１，ＳＶ２にエラーステータス情報が挿入されている場合、映像データＳＶ１，ＳＶ２よりエラーステータス情報を検出し、そのエラーステータス情報に基づいて切り換え信号ＳＷ０を生成してもよい。
【００４１】
図４は、実施の形態２としてのメイン（主系）／サブ（副系）切換型映像送出システム２００を示している。この映像送出システム２００は、送出装置１０５，１０６より出力される映像データＳＶ１，ＳＶ２よりエラーステータス情報を検出し、そのエラーステータス情報に基づいて切り換え信号ＳＷ０を生成するようにしたものである。この図４において、図１と対応する部分には同一符号を付し、その詳細説明は省略する。
【００４２】
この映像送出システム２００は、アラームボックス２０１を有している。このアラームボックス２０１には、送出装置１０５，１０６より出力されるエラーステータス信号ＥＲ１，ＥＲ２が供給される。このアラームボックス２０１は、図２に示すアラームボックスおよび切換制御回路１０７のうち、発光ダイオード１１１，１１２、アンプ１１３，１１４の部分のみを備えるものであって、送出装置１０５，１０６に不具合がある場合には、それぞれ対応する発光ダイオードが発光した状態となる。
【００４３】
また、この映像送出システム２００においては、送出装置１０５，１０６より出力される映像データＳＶ１，ＳＶ２に、それぞれ送出装置１０５，１０６に不具合があるか否かを示すエラーステータス情報ＥＩ１，ＥＩ２が挿入されている。このエラーステータス情報ＥＩ１，ＥＩ２は、それぞれ送出装置１０５，１０６より出力されるエラーステータス信号ＥＲ１，ＥＲ２に１対１に対応したものとなっている。
【００４４】
そして、この映像送出システム２００は、送出装置１０５，１０６より出力される映像データＳＶ１，ＳＶ２に挿入されているエラーステータス情報ＥＩ１，ＥＩ２を検出し、そのエラーステータス情報ＥＩ１，ＥＩ２に基づいて切換スイッチ１１０を制御する切り換え信号ＳＷを出力する切換制御回路２０２を有している。図５は、切換制御回路２０２の構成を示している。この図５において、図２と対応する部分いは同一符号を付し、その詳細説明は省略する。
【００４５】
この切換制御回路２０２は、映像データＳＶ１，ＳＶ２よりそれぞれエラーステータス情報ＥＩ１，ＥＩ２を検出し、それぞれエラーステータス信号ＥＲ１，ＥＲ２を出力するエラー検出回路２０３，２０４を有していると共に、図２に示すアラームボックスおよび切換制御回路１０７と同様に、切り換え検出回路１１５、発光ダイオード１１６、アンプ１１７、遅延回路１１８、キャンセル受付回路１１９およびキャンセルスイッチ１２０を備えている。
【００４６】
この場合、エラー検出回路２０３，２０４より出力されるエラーステータス信号ＥＲ１，ＥＲ２は切り換え検出回路１１５に供給され、この切り換え検出回路１１５より切り換え信号ＳＷ０（図３のテーブル参照）が出力される。したがって、この切換制御回路２０２からは、アラームボックスおよび切換制御回路１０７と同様の切り換え信号ＳＷが得られる。
【００４７】
図４に示す映像送出システム２００のその他は、図１に示す映像送出システム１００と同様に構成され、同様の動作が行われる。
【００４８】
ここで、映像データＳＶ１，ＳＶ２にエラーステータス情報ＥＩ１，ＥＩ２を挿入する方法としては、例えば映像データＳＶ１，ＳＶ２がＳＤＩ（Serial Digital Data Interface）フォーマットの信号として伝送されるものであるときは、ＥＤＨ（Error Detect ＆ Handling）を使用する方法が考えられる（図８および図９参照）。なお、ＳＤＩフォーマットは、ディジタルのオーディオ信号やビデオ信号の規格として、テレビジョンや映像工学に関する規格を発行するＳＭＰＴＥ（Society of Motion Picture and Television Engineers）のＳＭＰＴＥ−２９５Ｍで標準化されている。
【００４９】
ＥＤＨはＳＤＩフォーマットの信号の内部にエラー信号を埋め込むための信号であり、図８および図９に示すように、無信号期間に書かれる信号である。そして、このＥＤＨは、主にアクティブ領域、アンシラリ領域、フル・フィールド領域でのパリティやチェックサムを見て、エラーがあったときにフラグをセットすることを目的としている。上述したエラーステータス情報ＥＩ１，ＥＩ２の挿入には、例えばＩＤＨ（Internal error Detect Here）のフラグのリザーブビットを使用することが考えられる。
【００５０】
つまり、送出装置１０５，１０６に不具合が発生し、画像に問題があると思われる場合、それぞれ送出装置１０５，１０６に内蔵されているＣＰＵ（central processing unit）は、ＥＤＨのＩＤＨのビットｂ6を「１」にセットして出力する。これに対して、エラー検出回路２０３，２０４のＣＰＵは、ＥＤＨのＩＤＨのビットｂ6に基づいてエラーステータス信号ＥＲ１，ＥＲ２を出力する。
【００５１】
図６は、エラーステータス情報ＥＩ１，ＥＩ２をＥＤＨを使用して挿入する場合における映像記録送出装置２１０（送出装置１０５，１０６）とエラー検出回路２２０（エラー検出回路２０３，２０３）の要部を示している。送出装置２１０においては、ＣＰＵ２１１の制御により、ハードディスク等の記録媒体に映像データが書き込まれると共に、所定のタイミングでその映像データが読み出される。また、記録媒体２１２よりエラーステータス情報がＣＰＵ２１１に供給される。
【００５２】
そして、記録媒体２１２より読み出されるＳＤＩフォーマットの信号としての映像データがＥＤＨ回路２１３に供給され、ＣＰＵ２１１の制御により、映像データのＥＤＨの例えばＩＤＨのビットｂ6がエラーステータス情報に対応して「１」または「０」にセットされる。これにより、送出装置２１０よりエラーステータス情報が挿入された映像データＳＶが出力される。
【００５３】
また、エラー検出回路２２０においては、映像データＳＶがＥＤＨ回路２２２に供給され、このＥＤＨ回路２２２でＥＤＨのＩＤＨのビットｂ6、つまりエラーステータス情報が読み出される。そして、このエラーステータス情報がＣＰＵ２２１に供給され、ＣＰＵ２２１からはエラーステータス情報に対応したエラーステータス信号ＥＲが出力される。
【００５４】
上述の方法はＥＤＨを使用する方法であるが、これ以外にも方法がある。例えば８ビットを有効とする信号出力において、その９ビット目をエラーステータス情報として伝送する方法がある。ＳＤＩフォーマットの信号は１０ビット伝送が可能であるので、図７に示すように、９ビット目に「０」または「１」をセットし、これをエラーステータス情報として扱うことが可能である。
【００５５】
図４に示す映像送出システム２００のように、映像送出装置１０５，１０６より出力される映像データＳＶ１，ＳＶ２にエラーステータス情報ＥＩ１，ＥＩ２を挿入して伝送することで、エラーステータス信号ＥＲ１，ＥＲ２を伝送する専用のラインを省略することが可能となる。
【００５６】
なお、上述実施の形態において、送出装置１０５，１０６は映像データのみを取り扱うものであるが、この発明は映像データの他に音声データも取り扱う、いわゆるＡＶサーバーをメイン情報データ蓄積装置およびサブ情報データ蓄積装置として備えるものにも同様に適用できる。
【００５７】
【発明の効果】
この発明によれば、エラーステータス情報を使用して切り換え信号を生成し、切り換え信号に基づく切り換え動作を表示すると共に、一定時間遅延された切り換え信号に基づいてメイン情報蓄積装置およびサブ情報蓄積装置の切り換えを行うようにし、さらに切り換え信号に基づく切り換え動作のキャンセルを受け付けるものである。したがって、メイン情報蓄積装置およびサブ情報蓄積装置の切り換えが自動的に行われ、ユーザは切り換えの煩わしさから開放される利益がある。また、切り換え信号による切り換え動作の表示が変化した後一定時間以内にユーザがキャンセル操作をすることで、切り換え信号に基づくメイン情報蓄積装置およびサブ情報蓄積装置の切り換えをキャンセルでき、ユーザの意に反した切り換えが行われることを回避できる。
【図面の簡単な説明】
【図１】実施の形態１としてのメイン／サブ切換型映像送出システムの構成を示すブロック図である。
【図２】アラームボックスおよび切換制御回路の構成を示すブロック図である。
【図３】切り換え検出回路のテーブルを示す図である。
【図４】実施の形態２としてのメイン／サブ切換型映像送出システムの構成を示すブロック図である。
【図５】切換制御回路の構成を示すブロック図である。
【図６】ＥＤＨを使用してエラーステータス情報を挿入する場合における映像記録送出装置の要部を示すブロック図である。
【図７】ＳＤＩフォーマットの信号の９ビット目にエラーステータス情報を挿入する場合を説明するための図である。
【図８】ＳＤＩフォーマット（コンポーネント）を示す図である。
【図９】ＳＤＩフォーマット（コンポジット）を示す図である。
【図１０】従来のメイン／サブ切換型映像送出システムの構成を示すブロック図である。
【図１１】アラームボックスの構成を示すブロック図である。
【符号の説明】
１００，２００・・・メイン／サブ切換型映像送出システム、１０１・・・上位端末、１０２・・・ネットワーク、１０３・・・送出コントローラ、１０４・・・入力装置、１０５・・・メイン映像記録送出装置、１０６・・・サブ映像記録送出装置、１０７・・・アラームボックスおよび切換制御回路、１０８，１０９・・・モニタ、１１０・・・切換スイッチ、１１１，１１２，１１６・・・発光ダイオード、１１５・・・切り換え検出回路、１１８・・・遅延回路、１１９・・・キャンセル受付回路、１２０・・・キャンセルスイッチ、２０１・・・アラームボックス、２０２・・・切換制御回路、２０３，２０４・・・エラー検出回路
【図１】
0003867373.tif 000002
【図２】
0003867373.tif 000003
【図３】
0003867373.tif 000004
【図４】
0003867373.tif 000005
【図５】
0003867373.tif 000006
【図６】
0003867373.tif 000007
【図７】
0003867373.tif 000008
【図８】
0003867373.tif 000009
【図９】
0003867373.tif 000010
【図１０】
0003867373.tif 000011
【図１１】
0003867373.tif 000012